(57)【特許請求の範囲】
【請求項１】
表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、
綴じ具が、背表紙部の内面側に設けたベースと、ベースの両端部において閉止位置で表裏の開閉表紙部の内面と対面し得る位置に設けた一対の綴板とを備えたものであり、
少なくとも一方の開閉表紙部を背表紙部に対して閉じた閉止位置において綴じ具と重なり合う領域と重なり合わない領域とに亘って略Ｕ字型状に切り欠いた切り込みを形成するとともに、開閉表紙部の前記切り込みによって包囲される部位に前記綴じ具と係り合う係止部を形成し、開閉表紙部を背表紙部に対して綴じた閉止位置で切り込みの外側となる部位に設定した当接領域の内面側が綴板の外面と当接し、開閉表紙部のそれ以上の背表紙部に対する倒れ込みが規制され、それに伴って前記係止部と前記綴じ具の綴板とにより構成される係合手段の係り合いを規制する当接領域を設定しているとともに、当該当接領域の内面側が綴じ板の外面と当接した状態から係止部を外方から厚み方向へ押圧することにより、係止部の先端が綴板のうち綴板同士が対面する対向面側に潜り込み、係止部と綴板とがそれらの厚み方向に係り合うことを特徴とするファイル。
【請求項２】
係合手段が、係止部のみ又はその近傍のみを開閉表紙部の外方から押圧することにより該係止部が綴じ具と係り合う構成である請求項１記載のファイル。
【請求項３】
係止部が、前記切り込みにより包囲された舌片状をなす係止舌片である請求項２記載のファイル。
【請求項４】
前記係止舌片が綴じ具の一部のみと係り合い、綴じ具の他の部位が前記当接領域と当接するように構成している請求項３記載のファイル。
【請求項５】
前記係止舌片の幅寸法を、該係止舌片を開閉表紙部の厚み方向へ押圧操作する指の腹の大きさに対応させている請求項３又は４記載のファイル。
【請求項６】
綴じ具が、該綴板間に設けられ書類等を貫通して綴じる綴管をさらに具備するものであり、閉止位置において前記係止舌片を綴板同士が対向する対向面と係り合わせるようにしている請求項３、４又は５記載のファイル。
【請求項７】
表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、
綴じ具が、ベースと、ベースの長手方向に所定間隔で設けられた開閉可能な複数のリングとを備えたものであるとともに、前記リングが、背表紙部又は一方の開閉表紙部の内面側に設けられ書類等を貫通して綴じる開閉可能なものであり、
少なくとも一方の開閉表紙部を背表紙部に対して閉じた閉止位置において綴じ具と重なり合う領域と重なり合わない領域とに亘って略Ｕ字型状に切り欠いた切り込みを形成するとともに、開閉表紙部の前記切り込みによって包囲された舌片状をなす係止舌片であり前記綴じ具と係り合う係止部を形成し、開閉表紙部を背表紙部に対して閉じた閉止位置で、切り込みの外側となる部位に設定した当接領域の内面側がリングと当接し、開閉表紙部のそれ以上の背表紙部に対する倒れ込みが規制され、それに伴って係止舌片とリングとの係り合いを規制する当接領域を設定しているとともに、当接領域の内面側がリングと当接した状態から係止舌片を外方から厚み方向へ押圧することにより、係止舌片の先端がリングの開放された内向面側に潜り込み係止舌片とリングの内向面とがそれらの厚み方向に係り合うことを特徴とするファイル。
【請求項８】
表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、
開閉表紙部に、少なくとも一方の開閉表紙部を背表紙部に対して閉じた閉止位置において開閉表紙部の内面側へ突出し綴じ具と選択的に係り合う係止爪を設けた係止部を形成するとともに、係止部の基端部に弾性変形によって該係止爪を前記係止爪が綴じ具の開閉表紙部と対面する外面側に位置付けられ綴じ具とは係り合わない非係合位置と綴じ具の内向面側と係り合う係合位置まで動作させるヒンジ部を形成し、このヒンジ部を、係止部に外面側から加えられた外力により前記非係合位置から係止爪を反綴じ具側へ退避させた退避位置まで該係止部をスライド移動させるように弾性変形により伸長又は縮退動作し、且つ係止部に外面側から加えられた外力により係止爪が前記退避位置から綴じ具の内向面側へ潜り込む没入位置まで回動させるように弾性変形により回動動作するものとして、このヒンジ部の伸長又は縮退動作及び回動動作を通じて係止部を綴じ具と係り合わせる係合手段を構成していることを特徴とするファイル。
【請求項９】
係合手段が、係止部のみを開閉表紙部の外方から押圧することにより前記係止爪が綴じ具と係り合う構成である請求項８記載のファイル。
【請求項１０】
開閉表紙部における係止部の周囲に、係止爪を設けた側を開放しヒンジ部側を閉じたスリットを形成している請求項９記載のファイル。
【請求項１１】
前記スリット内に、係止部をヒンジ部以外の部位で開閉表紙部と連結して非係合位置に係留する補助連結片を形成している請求項１０記載のファイル。
【請求項１２】
係止部に開閉表紙部の外面側から内面側へ窪ませた凹部を形成し、該凹部の前記スリットにより開放された先端部に係止爪を形成している請求項１０又は１１記載のファイル。
【請求項１３】
綴じ具が、背表紙部の内面側に設けたベースと、該ベースの両側端部において前記閉止位置で表裏の開閉表紙部の内面と対面し得る位置に設けた一対の綴板及び該綴板間に設けられ書類等を貫通して綴じる綴管とを具備するものであり、閉止位置において前記係止爪を綴板同士が対向する対向面と係り合わせるようにしている請求項８、９、１０、１１又は１２記載のファイル。
【請求項１４】
綴じ具が、背表紙部又は一方の開閉表紙部の内面側に設けられ書類等を貫通して綴じる複数の開閉可能な複数のリングを具備するリング綴じ具であり、閉止位置において前記係止爪をリングの内向面側と係り合わせるようにしている請求項８、９、１０、１１又は１２記載のファイル。
【請求項１５】
表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、
開閉表紙部に、少なくとも一方の開閉表紙部を背表紙部に対して閉じた閉止位置において綴じ具と選択的に係り合う係止部を形成するとともに、係止部の基端側に該係止部を開閉表紙部の厚み方向へ弾性変形により回動させるヒンジ部を形成するとともに当該ヒンジ部から開閉表紙部の基端側と反対側となる開放端側に連続して係止部たる係止片を形成し、係止片の先端に、内面側へ突出する突起をヒンジ部と略平行に形成し、この突起に、開閉表紙部の基端側に向けて突出する係止爪を形成し、係止部を綴じ具の開閉表紙部と対面する外面側に留めておくためのヒンジ部における弾性力を、係止部に対して開閉表紙部の内面側から綴じ具が当接することにより作用し得る力よりも小さくなるように設定し、係止片に触れることなく開閉表紙部を背表紙部に対して閉じた状態で、係止片の突起が綴じ具の外面側に当接し、係止片が、ヒンジ部を中心にして開閉表紙部の外面側へ逃げる方向に回動することにより、係止片と綴じ具との係り合いを規制するとともに、係止片の突起が綴じ具の外面側に当接した状態から係止片の先端部を外方から厚み方向へ押圧することにより、係止片の突起が綴じ具の外面に押し当てられ係止片が外方へ反るように弾性変形し、その弾性復帰力により係止爪が綴じ具の内面側に回り込んで綴じ具に係り合う係合手段を構成していることを特徴とするファイル。
【請求項１６】
係合手段が、係止部のみ又はその近傍のみを開閉表紙部の外方から押圧することにより該係止部が綴じ具と係り合う構成である請求項１５記載のファイル。
【請求項１７】
開閉表紙部における係止部の周囲に、係止部を設けた側を開放しヒンジ部側を閉じたスリットを形成している請求項１５又は１６記載のファイル。
【請求項１８】
前記スリット内に、係止部をヒンジ部以外の部位で開閉表紙部と連結して前記閉止位置において係止部が綴じ具と係り合わない位置に係留する補助連結片を形成している請求項１７記載のファイル。
【請求項１９】
綴じ具が、背表紙部の内面側に設けたベースと、該ベースの両側端部において前記閉止位置で表裏の開閉表紙部の内面と対面し得る位置に設けた一対の綴板及び該綴板間に設けられ書類等を貫通して綴じる綴管とを具備するものであり、閉止位置において前記係止部を綴板同士が対向する対向面と係り合わせるようにしている請求項１５、１６、１７又は１８記載のファイル。
【請求項２０】
綴じ具が、背表紙部又は一方の開閉表紙部の内面側に設けられ書類等を貫通して綴じる複数の開閉可能な複数のリングを具備するリング綴じ具であり、閉止位置において前記係止部をリングの内向面側と係り合わせるようにしている請求項１５、１６、１７又は１８記載のファイル。
【請求項２１】
前記係止部を、一対の開閉表紙部の両方に形成している請求項１、２、３、４、５、６、７、８、９、１０、１１、１２、１３、１４、１５、１６、１７、１８、１９又は２０記載のファイル。
【請求項２２】
開閉表紙部に前記係止部を形成し、背表紙部にファイル全体を持ち運びし得る取手を設けている請求項１、２、３、４、５、６、７、８、９、１０、１１、１２、１３、１４、１５、１６、１７、１８、１９、２０又は２１記載のファイル。
【発明の詳細な説明】
【０００１】
【発明の属する技術分野】
本発明は、書類等を綴じて保管又は使用する綴じ具を備えたファイルに関するものである。
【０００２】
【従来の技術】
この種のファイルは、表裏に対をなす開閉表紙部と、これら開閉表紙部の基端間に設けられる背表紙部と、書類等を綴じる綴じ具とを備える構成のものが一般的である。このようなファイルにおいて、開閉表紙部を対面させたファイルを閉じた状態、或いは一方のみの開閉表紙部を閉じた状態で、その開閉表紙部を部分的に綴じ具と係り合わせることで、その綴じた状態を維持するようにした係合手段を有するものが考えられている。例えば、綴じ具として、書類等に予め所定数形成したパンチ孔に開閉可能なリングを挿入することで書類を挟み込むリング綴じ具を適用したものである場合、リングの周方向に沿って開閉表紙部にスリットを形成しておき、開閉表紙部を厚み方向に押圧することでスリットがリングを幅方向に挟むようにリングを開閉表紙部の外面側に突出させ、その状態で開閉表紙部が開かないようにリングと係り合わせてロックするようにしたファイルが知られている。
【０００３】
【発明が解決しようとする課題】
ところが、このような構成のファイルであると、開閉表紙部におけるスリットの近傍以外の部位を押圧した場合にもスリットとリングとが係り合い、意図的にファイルを閉じようとしていないにも拘わらず不意にファイルが綴じてロックされてしまうという不具合がある。逆に、開閉表紙部を綴じてリングにロックした状態から人為的に係り合いを解除しファイルを開こうとしなくても、開閉表紙部の開放された端部に内面側から力が加わると、不意にロックが解除されてファイルが開いてしまうという不具合も生じる。特に背表紙部に取手を有するファイルである場合、この取手を持って棚等から抜き出して使用するような場合には、不意にロックが解除されるとファイルが開いて取り扱いに不便を来す。また、このような不具合は、上述のようなリング以外の綴じ具を有するファイルの場合にも共通する。
【０００４】
そこで本発明は、以上のような問題に鑑みて、上述のようなリング綴じ具を有するファイルに限らず、各種の綴じ具を有するファイル一般において、人為的な操作を加えなくては開閉表紙部と綴じ具との係り合い又はその解除がなされないような使い勝手のよいファイルを提供することを主たる目的としている。
【０００５】
【課題を解決するための手段】
本発明のファイルは、表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、綴じ具が、背表紙部の内面側に設けたベースと、ベースの両端部において閉止位置で表裏の開閉表紙部の内面と対面し得る位置に設けた一対の綴板とを備えたものであり、少なくとも一方の開閉表紙部を背表紙部に対して閉じた閉止位置において綴じ具と重なり合う領域と重なり合わない領域とに亘って略Ｕ字型状に切り欠いた切り込みを形成するとともに、開閉表紙部の前記切り込みによって包囲される部位に前記綴じ具と係り合う係止部を形成し、開閉表紙部を背表紙部に対して綴じた閉止位置で切り込みの外側となる部位に設定した当接領域の内面側が綴板の外面と当接し、開閉表紙部のそれ以上の背表紙部に対する倒れ込みが規制され、それに伴って前記係止部と前記綴じ具の綴板とにより構成される係合手段の係り合いを規制する当接領域を設定しているとともに、当該当接領域の内面側が綴じ板の外面と当接した状態から係止部を外方から厚み方向へ押圧することにより、係止部の先端が綴板のうち綴板同士が対面する対向面側に潜り込み、係止部と綴板とがそれらの厚み方向に係り合うことを特徴とする。ここで、開閉表紙部の閉止位置とは、両方の開閉表紙部が基端で折り曲げられ相互に対面する位置にある状態、又は一方のみの開閉表紙部がその位置にある状態をいう。
【０００６】
このような構成とすれば、不意に開閉表紙部が閉じる動作をした場合、切り込みの外側すなわち係止部の周囲で開閉表紙部の当接領域が綴じ具と当接するために、自動的に係止部が綴じ具と係り合ってロックされた状態となることを防止することができる。したがって、係止部を綴じ具と係り合わせるには、意図的な操作が必須となり、また逆に係止部と綴じ具とが係り合った状態が意図的な操作なしでは解除されないことになる。
【０００７】
このような係止部に対する意図的な操作力を有効に働かせるには、係合手段を、係止部のみ又はその近傍のみを開閉表紙部の外方から押圧することにより該係止部が綴じ具と係り合う構成とすることが望ましい。このような構成により、開閉表紙部のうち綴じ具と係り合う部位である係止部又はその近傍に対して人為的な操作により押圧しなければ係止部と綴じ具とを係り合わせることができないため、不意にファイルが綴じてしまう不具合を有効に解消することができる。また、このように係止部と綴じ具とが係り合わされていれば、その係り合う方向とは逆方向へ人為的な操作力を加えなければその係り合いが解除されないため、不意にファイルが開いてしまうという不具合も同時に解消できることとなる。
【０００８】
このような係止部として簡素な構成のものには、前記切り込みにより包囲された舌片状をなす係止舌片を挙げることができる。このような係止舌片を綴じ具と係り合わせるには、この係止舌片を開閉表紙部の厚み方向へ押圧するとよい。開閉表紙部における係止舌片以外の部位への押圧による係止舌片の綴じ具への係り合いをより生じにくくするためには、係止舌片が、綴じ具の一部のみと係り合い、綴じ具の他の部位が当接領域と当接するようにすることが好ましい。具体的には係止舌片の幅寸法を、該係止舌片を開閉表紙部の厚み方向へ押圧操作する指の腹の大きさに対応させると好適である。
【０００９】
このような係止舌片に対して係り合う綴じ具としては、背表紙部の内面側に設けたベースと、このベースの両側端部において前記閉止位置で表裏の開閉表紙部の内面と対面する位置に設けた一対の綴板及び該綴板間に設けられ書類等を貫通して綴じる綴管とを具備する所謂チューブ式綴じ具が挙げられ、閉止位置において係止舌片を綴板同士の対向面と係り合わせるようにするとよい。この場合、係止舌片において綴板と係り合う係止部分の幅寸法を、背表紙部の長手方向に沿った綴板の長手方向寸法よりも小さくしておくことが好ましい。
【００１０】
その他、係止舌片に対して係り合う綴じ具として好ましいものには、表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、綴じ具が、ベースと、ベースの長手方向に所定間隔で設けられた開閉可能な複数のリングとを備えたものであるとともに、前記リングが、背表紙部又は一方の開閉表紙部の内面側に設けられ書類等を貫通して綴じる開閉可能なものであり、少なくとも一方の開閉表紙部を背表紙部に対して閉じた閉止位置において綴じ具と重なり合う領域と重なり合わない領域とに亘って略Ｕ字型状に切り欠いた切り込みを形成するとともに、開閉表紙部の前記切り込みによって包囲された舌片状をなす係止舌片であり前記綴じ具と係り合う係止部を形成し、開閉表紙部を背表紙部に対して閉じた閉止位置で、切り込みの外側となる部位に設定した当接領域の内面側がリングと当接し、開閉表紙部のそれ以上の背表紙部に対する倒れ込みが規制され、それに伴って係止舌片とリングとの係り合いを規制する当接領域を設定しているとともに、当接領域の内面側がリングと当接した状態から係止舌片を外方から厚み方向へ押圧することにより、係止舌片の先端がリングの開放された内向面側に潜り込み係止舌片とリングの内向面とがそれらの厚み方向に係り合うことを特徴とするものが挙げられる。この場合、係止舌片において綴要素と係り合う係止部分の幅寸法を、綴要素における綴じた際の最大開口幅寸法よりも小さくしておくことが好ましい。
【００１１】
本発明のファイルの第２の基本構成は、開閉表紙部に、少なくとも一方の開閉表紙部を背表紙部に対して閉じた閉止位置において開閉表紙部の内面側へ突出し綴じ具と選択的に係り合う係止爪を設けた係止部を形成するとともに、係止部の基端部に弾性変形によって該係止爪を前記係止爪が綴じ具の開閉表紙部と対面する外面側に位置付けられ綴じ具とは係り合わない非係合位置と綴じ具の内向面側と係り合う係合位置まで動作させるヒンジ部を形成し、このヒンジ部を、係止部に外面側から加えられた外力により前記非係合位置から係止爪を反綴じ具側へ退避させた退避位置まで該係止部をスライド移動させるように弾性変形により伸長又は縮退動作し、且つ係止部に外面側から加えられた外力により係止爪が前記退避位置から綴じ具の内向面側へ潜り込む没入位置まで回動させるように弾性変形により回動動作するものとして、このヒンジ部の伸長又は縮退動作及び回動動作を通じて係止部を綴じ具と係り合わせる係合手段を構成していることを特徴とする。
【００１２】
このような構成とした場合には、係止爪を綴じ具と係り合わせるには、まず外力の作用によってヒンジ部を伸長又は縮退させて係止部を非係合位置から退避位置までスライド移動させ、次に外力の作用によってヒンジ部を回動させて係止部を退避位置から没入位置まで回動させ、最後は逆にヒンジ部を縮退又は伸長させて係止部を没入位置から係合位置まで移動させるという、最低３段階の操作が必要となるため、係止部と綴じ具とが不意の外力によって自然に係り合いロックしたり或いは逆にロックした状態が解除されるという不具合が生じない。したがって、第１の基本構成のファイルと同様に、意図的な操作があって初めて開閉表紙部の係止部を綴じ具に係り合わせて閉じておくことができるという、使用感の優れたファイルを構成することができる。
【００１３】
このような構成のファイルにおいても、上述の作用を有効なものとするには、係合手段を、係止部のみを開閉表紙部の外方から押圧することにより前記係止爪が綴じ具と係り合う構成とすることが望ましい。
【００１４】
また、この場合、係止部の動作をスムーズなものとするためには、開閉表紙部における係止部の周囲に、係止爪を設けた側を開放しヒンジ部側を閉じたスリットを形成するとよい。さらに、このスリット内に、係止部をヒンジ部以外の部位で開閉表紙部と連結して非係合位置に係留する補助連結片を形成すれば、係止部の開閉表紙部における配置位置を安定させることができる。したがって、係止部を係留しておくための補助連結片の力を越える程度の操作力を加えないと係止部を動作させることができないことから、係止部と綴じ具との不意なロック又はロック解除を更に有効に防止することができる。そして、このような場合における係止部への操作の容易性及び確実性を向上するには、係止部に、開閉表紙部の外面側から内面側へ窪ませた凹部を形成し、この凹部のスリットにより開放された先端部に係止爪を形成することが好ましい。
【００１５】
さらに、このような構成のファイルにおいても、好適な綴じ具としては、第１の基本構成のファイルと同様に、チューブ式綴じ具や、リング綴じ具を挙げることができる。
【００１６】
本発明に係るファイルの第３の基本構成は、表裏一対の開閉表紙部と、これら開閉表紙部の基端間に設けた背表紙部と、背表紙部ないし開閉表紙部の内面側に設けられ書類等の被綴込体を綴じ得る綴じ具とを具備するものにおいて、開閉表紙部に、少なくとも一方の開閉表紙部を背表紙部に対して閉じた閉止位置において綴じ具と選択的に係り合う係止部を形成するとともに、係止部の基端側に該係止部を開閉表紙部の厚み方向へ弾性変形により回動させるヒンジ部を形成するとともに当該ヒンジ部から開閉表紙部の基端側と反対側となる開放端側に連続して係止部たる係止片を形成し、係止片の先端に、内面側へ突出する突起をヒンジ部と略平行に形成し、この突起に、開閉表紙部の基端側に向けて突出する係止爪を形成し、係止部を綴じ具の開閉表紙部と対面する外面側に留めておくためのヒンジ部における弾性力を、係止部に対して開閉表紙部の内面側から綴じ具が当接することにより作用し得る力よりも小さくなるように設定し、係止片に触れることなく開閉表紙部を背表紙部に対して閉じた状態で、係止片の突起が綴じ具の外面側に当接し、係止片が、ヒンジ部を中心にして開閉表紙部の外面側へ逃げる方向に回動することにより、係止片と綴じ具との係り合いを規制するとともに、係止片の突起が綴じ具の外面側に当接した状態から係止片の先端部を外方から厚み方向へ押圧することにより、係止片の突起が綴じ具の外面に押し当てられ係止片が外方へ反るように弾性変形し、その弾性復帰力により係止爪が綴じ具の内面側に回り込んで綴じ具に係り合う係合手段を構成していることを特徴とする。
【００１７】
このような構成によれば、大きな外力で開閉表紙部を閉じた場合に開閉表紙部が綴じ具に当たって受ける力をヒンジ部が受けると、係止部が開閉表紙部の外面側へ逃げることになるため、開閉表紙部が綴じ具に当たった弾みで係止部が綴じ具と係り合ってしまうことがない。したがって、第１及び第２の基本構成のファイルと同様に、不意に開閉表紙部が綴じ具にロックされてしまわない、使用感の優れたファイルを構成することができる。
【００１８】
この場合も、意図的な操作があって初めて開閉表紙部の係止部を綴じ具に係り合わせて閉じておくことができるようにするには、係合手段を、係止部のみ又はその近傍のみを開閉表紙部の外方から押圧することにより該係止部が綴じ具と係り合う構成とすることが好ましい。
【００１９】
また、開閉表紙部における係止部の周囲に、係止部を設けた側を開放しヒンジ部側を閉じたスリットを形成することで、係止部の動作をスムーズなものとすることができる。このような場合、例えばスリットの形成により舌片状の係止部と当該係止部の基端側にヒンジ部とが構成されるように、意図してヒンジ部を形成しなくても他の構成要素を形成するのと同時に形成されたヒンジ機能を有する領域又は部位も、本基本構成で言うところのヒンジ部の概念に含まれる。なお、他の基本構成についても同様のことが成立する場合がある。さらに、スリット内に、係止部をヒンジ部以外の部位で開閉表紙部と連結して前記閉止位置において係止部が綴じ具と係り合わない位置に係留する補助連結片を形成すれば、第２の基本構成の場合と同様に係止部の安定性を向上することができる。
【００２４】
以上のような各構成のファイルは、一対の開閉表紙部のいずれを表表紙、裏表紙としても使用されることがあるため、係止部を、一対の開閉表紙部の両方に形成しておくと、いずれの開閉表紙部もロックした状態とすることができて好都合である。
【００２５】
また、上述したファイルにおいて、開閉表紙部に係止部を形成し、背表紙部にファイル全体を持ち運びし得る取手を設けている場合、取手を把持してファイルを持ち運びする際や棚等から出し入れする際に、ファイルが不意に開閉することを有効に防止できるため、極めて有用なファイルとすることができる。このような取手としては、背表紙部に端部を固定して設けたものや、背表紙部に対して伸縮可能なものなど、種々のものを適用することができる。
【００２６】
【発明の実施の形態】
以下、本発明の実施形態を、図面を参照して説明する。
（第１実施形態）
図１及び図２に示す本発明の第１の基本構成に係る第１実施形態のファイル１は、一対の開閉表紙部２ａ、２ｂ及びこれらの基端間に設定される背部２ｃを備えたファイル本体２と、このファイル本体２の内面に取り付けた綴じ具３とを備え、両開閉表紙部２ａ、２ｂと綴じ具３との間に関係づけて係合手段Ｌを形成したものである。ファイル１はさらに、ファイル本体２の背部２ｃに背カバー部材４を取り付けることによって、これら背部２ｃ及び背カバー部材４とから背表紙部Ｂを構成し、この背表紙部Ｂに取手６を設けている。なお、以下に説明する前後方向とは、開閉表紙部２ａの開閉端部側を前方、そして背表紙部Ｂが設けられた側を後方とし、上下方向とは、背カバー部材４の長手方向を指すものとする。また、図３は、両背表紙部２ａ、２ｂを開いた状態において、ファイル本体２と綴じ具３とを内側から見た態様を示しており、図４は、開閉表紙部２ａ、２ｂを閉じた状態において、ファイル本体２から背カバー部材４及び取手５を分解した状態を示している。
【００２７】
ファイル本体２は、一方の開閉表紙部２ａと背表紙部２ｃの幅方向の半分を一体に有する合成樹脂素材などからなるファイル本体要素２０と、他方の開閉表紙部２ｂと背表紙部２ｃの幅方向半分を一体に有するファイル本体要素２０とに分割される半割構造を有している。これら２つのファイル本体要素２０、２０は、後述するように、綴じ具３をファイル本体２に取り付ける際に同時に組み合わされる。すなわち背部２ｃは、両方のファイル本体要素２０、２０の一部同士を、幅方向中央部において長手方向に沿って接合することにより形成されるものである。開閉表紙部２ａ、２ｂは、例えばＡ４規格やＢ５規格の紙葉類を綴じるように対応させたものであり、これら開閉表紙部２ａ、２ｂの基端部に、それぞれ素材を若干薄肉に形成し又は折り曲げ癖を付与したヒンジ部２ｄを介して背部２ｃを設けている。
【００２８】
開閉表紙部２ａ、２ｂには、図３に示すように、ファイル１を閉じた状態で綴じ具３の側端面が当接する内面側の基端部分に一対の平面視Ｌ字型をなす突条２１をそれぞれ対向して設けている。そして、この対向する突条２１の内法寸法を、綴じ具３の外形長さと略一致させるようにするとともに、その高さ寸法を綴じ具３の後述する綴板３２の厚み寸法と略一致するように設定している。すなわち、ファイル１の閉止状態においてこの綴じ具３の綴板３２が突条２１の内部におおよそ位置決めされて収容され、綴じ板３２の前端部を次に説明する係止舌片２２に近付けるようにしている。また、この突条２１の内部に綴板３２が収容されている状態で、当該綴板３２に係り合い係合手段Ｌの一部を構成する係止舌片２２を形成し、各開閉表紙部２ａ、２ｂを開成不能にロックし得るようにしている。この係止舌片２２は、先端部２２ａが背部２ｃ側に向くように、閉止位置において綴じ具３と重合する領域と重合しない領域とに亘って開閉表紙部２ａ、２ｂを部分的に略Ｕ字型状に切り欠いた切り込み２４の内側に設けたものであり、当該開閉表紙部２ａ、２ｂを閉じた閉止位置において前記突条２１内に収容された綴板３２の側端部に先端部２２ａが跨るように形成している。また、この係止舌片２２の幅寸法は、一般的な手の指の腹の広さに略対応させている。そして、切り込み２４の外側において開閉表紙部２ａ、２ｂの基端部側の領域を、後述する綴じ具３の綴板３２と当接し得る当接領域２３としている。
【００２９】
背部２ｃは、概略長方形をなす板状のものであり、長手方向中央部に厚み方向に貫通させて形成した綴じ具３を取り付けるための綴じ具取付孔２ｃ１を上下４つずつ有している。また、綴じ具取付孔２ｃ１の上下には、背カバー部材４を介して取手６を取り付けるための取手取付孔７１と、取手６に対する所定量以上の引き出しを規制する係止片７２とを設けている。取手取付孔７１は、使用状態において弾性変形させた取手６がその弾性力に従って広がる方向に傾斜させて形成したものである。一方、係止片７２は、前記取手取付孔７１よりも更に上端部側及び下端部側において、それぞれこの背部２ｃの内面から対をなして後方へ突出するように形成した平面視Ｌ字型の部材からなる。また、背部２ｃには、背カバー部材４を取り付けるために、背面側の両側部に背カバー部材４をスライド関係により係り合わせるファイル本体側スライド係合部Ｆ１を形成するとともに、背面側の中間部に背カバー部材４を凹凸関係により係り合わせるファイル本体側凹凸係合部Ｆ２を形成している。ファイル本体側スライド係合部Ｆ１は、背部２ｃの背面側の両側部に上下方向に沿って設けられ、前記背面から側端へ広がるような傾斜面を有する平面視台形をなし後方へ突出する柱状の突条ｆ１を所定ピッチで切り欠いて間欠的なレール状に形成してなるものである。一方、ファイル本体側凹凸係合部Ｆ２は、背面の中間部に上下に形成された正断面視略円形をなす凹部ｆ２からなる。そして、この凹部ｆ２は、上下に一対ずつ計４つ形成されている。
【００３０】
綴じ具３は、図３に示すように、例えば背部２ｃに固定されたベース３１と、このベース３１の左右両側に着脱可能に取り付けられた一対の綴板３２と、この綴板３２間に渡って延びる綴管３３と、綴板３２の脱着操作を行う操作部材３４を具備してなるチューブ式綴じ具である。綴管３３は、一対の綴板３２の一方に設けられた綴軸３３１と、他方に設けられこの綴軸３３１を内部に挿入し得る空洞を有した綴パイプ３３２とを上下に一対ずつ設けてなるものである。また、綴板３２は、ベース３１の左右両側に支持された一対の軸ピン３５に係脱可能に取り付けられたものである。操作部材３４は、ベース３１の左右両側における中央部分に設けた図示しない収容部内に納められていて、前記軸ピン３５の一部を保持しており、この操作部材３４をベース３１内に押し込むことで、前記軸ピン３５がその軸線位置を変位し、綴板３２との係り合わせを解除できるようになっている。さらに、ベース３１は、ファイル本体２の背部２ｃに設けた綴じ具取付孔２ｃ１に係り合うベース固定具３６によって、ファイル本体２の背部２ｃに取り付けられている。その際、このベース固定具３６は、２つのファイル本体要素２０、２０同士を背部２ｃにおいて接合する役割も担っている。すなわち、本実施形態における綴じ具３は、このベース固定具３６によって、リベット等を使用せずに、ベース３１をファイル本体２に取り付けられるようなものであるが、ベース３１をリベット等で取り付けるタイプのものであってもよい。なお、この綴じ具３のその他の構成については、一般に広く知られたものであるので、詳しい説明を省略することとする。
【００３１】
背カバー部材４は、ファイル本体２の背部２ｃの高さ寸法及び幅寸法と略一致した高さ寸法及び幅寸法を有する柱状のものであり、背面側へ湾曲した弓なり型をなす平断面形状をなしている。この背カバー部材４には、長手方向及び幅方向中央部に、縦長の長方形状をなす取手収容凹部５を厚み方向に貫通させて形成している。そしてこの取手収容凹部５の高さ方向中央部における左右両側に略線対称をなし、使用者の手を取手収容凹部５内へ誘導するガイド部５１を形成している。このガイド部５１は、取手収容凹部５の側端部に、略部分球状に凹む凹部を形成して取手収容凹部５の内部へ向かって湾曲しつつ傾斜するテーパ面５１を形成したものである。また、この背カバー部材４を背部２ｃに取り付けるための構成として、ファイル本体側スライド係合部Ｆ１に対して上方又は下方へスライド係合することにより係り合う背カバー部材側スライド係合部ｃ１と、ファイル本体側凹凸係合部Ｆ２に対して背部２ｃの厚み方向へ凹凸係合することにより係り合う背カバー部材側凹凸係合部（図示省略）を形成している。背カバー部材側スライド係合部Ｃ１は、図４に示すように、背カバー部材４の両側端部にファイル側スライド係合部Ｆ１と同じピッチで部分的に切り欠いて間欠的なレール状となるように形成したものであり、ファイル本体側スライド係合部Ｆ１を両側方から抱く姿勢で背部２ｃに取り付けられる。一方、背カバー部材側凹凸係合部は、両スライド係合部Ｆ１、Ｆ２を正規の取付位置で係り合わせた状態で、ファイル本体側凹凸係合部Ｆ２を構成する凹部ｆ２の対応箇所にそれぞれ形成した図示しない突起からなるものである。
【００３２】
取手６は、図１、図２及び図４に示すように長手方向中間部に設定した把持部６１と、この把持部６１の長手方向の両側に設定され背表紙部Ｂを構成するファイル本体２の背部２ｃと係り合う基部６２とを備え、これらを例えば合成ゴム等の弾性を有する合成樹脂を素材として一体成形されている。把持部６１は、ベルト状のものでありその中央部分の厚み寸法を厚く、且つ後方へ突出するように湾曲した形状に成形したものである。なお、この把持部６１の背面６１ａ側は、周縁部より肉厚が薄くなるように成形した背面視矩形状をなす薄肉部６１１としており、取手６を前記取手収容凹部５に格納した状態で中央部分が盛り上がり取手収容凹部５の開口縁部よりも後方へ殆ど突出しないようにしている。基部６２は、把持部６１の両端からこの取手６の長手方向両端部へ向けて延びるように設けられる挿入部６２１を有し、この挿入部６２１の端部に係止部６２２を形成している。挿入部６２１は、背部２ｃに形成された後述する取手取付孔７１、係止片７２に挿入可能な肉厚に設定されたものである。係止部６２２は、この挿入部６２１よりも肉厚を厚く、且つ幅広な矩形状に形成したものである。そして、この基部６２を、背部２ｃに取り付けた背カバー部材４の取手収容凹部５へ挿入し、さらに背部２ｃの取手取付孔７１及び一対の係止片７２の間へ挿入している。しかして、取手６を取手収容凹部５から把持部６１を手で持って引き出した場合に、係止部６２２が各係止片７２に上方又は下方から衝突することにより、それ以上の取手６の引き出しを規制するようにしている。
【００３３】
以上のような構成の本実施形態におけるこのファイル１を使用する際に、開閉表紙部２ａ、２ｂを閉じた状態を維持する場合、図２及び図５に示すように、一方又は両方の開閉表紙部２ａ、２ｂを背表紙部Ｂに対して閉じた状態にすると、切り込み２４の外側における当接領域２３の内面側が綴板３２の外面と当接するため、開閉表紙部２ａ、２ｂのそれ以上の背表紙部Ｂに対する倒れ込みが規制され、それに伴って係止舌片２２と綴板３２との係り合いも規制される。その状態から係止舌片２２を矢印Ｘの方向すなわち厚み方向へ外方から押圧すると、係止舌片２２の先端部２２ａが綴じ具３の綴板３の側端部の対向面側に潜り込む。するとその状態で、係止舌片２２と綴板３とがそれらの厚み方向に係り合うことになり、その状態から開閉表紙部２ａ、２ｂを開くことを禁止するロック状態となる。このように、ロック状態としたファイル１を、例えば図６に示すように棚Ｔに収納しておき、これを棚Ｔから取り出す際に取手６を手で持って引き出す場合、係止舌片２２と綴板３とが係り合った係合手段Ｌが機能しているため、開閉表紙部２ａ、２ｂが容易に開いてしまうことがない。また、取手６を持ってこのファイル１を持ち運びする場合にも同様に、係合手段Ｌにおける係り合いが自然に解除されて開閉表紙部２ａ、２ｂが開いてしまうこともない。また、このファイル１を机等の天板上で使用する際に、開閉表紙部２ａ、２ｂを対面させている場合でも、係止舌片２２がごく小さいものであるため、係止舌片２２以外の開閉表紙部２ａ、２ｂの部位を押圧したとしても、係止舌片２２が綴板３と係り合ってロックされた状態になることを防止することもできる。
【００３４】
なお、以上に説明した第１実施形態において、各部の構成は本発明の範囲内で任意に変更することが可能である。
【００３５】
（第２実施形態）
図７に示すこの実施形態は、上述した第１実施形態と同様に本発明の第１の基本構成に係るものであり、一対の開閉表紙部１２０ａ、１２０ｂの基端間に背表紙部Ｂ１００を一体に設け、綴じ具として一般的な２穴式のリング綴じ具１３０を適用したファイル１００である。図示例では、リング綴じ具１３０として、一方の開閉表紙部１２０ｂの内面側における基端部に取り付けたベース１３１と、このベース１３０の長手方向において所定間隔で２つの開閉可能なリング１３２を設けた構成のものを採用している。
【００３６】
これに対して、他方の開閉表紙部１２０ａには、基端部において各リング１３２に対して上方から又は下方から跨るように部分的にＵ字形状に切り欠いて切り込み１２４を形成することにより、この切り込み１２４の内側に前記第１実施形態と同様に係止部を構成する係止舌片１２２を一対形成している。換言すると、切り込み１２４は、閉止位置において綴じ具であるリング１３２に重合する領域と重合しない領域とに跨って形成されている。そして、これら係止舌片１２２とリング１３２とによって係合手段Ｌ１００が構成される。また、切り込み１２４の外側には、綴じ具であるリング１３２のうち開閉表紙部１２０ａの内面と対面する側の面と当接する当接領域１２３を設定している。このような係合手段Ｌ１００においても、当接領域１２３がリング１３２と当接して係止舌片１２２とリング１３２との係合を規制した状態から、係止舌片１２２を外方から厚み方向へ押圧することで、その先端部１２２ａがリング１３２の開放された内向面側であるリング環内側領域に潜り込むと、係止舌片１２２がリング１３２の内面と開閉表紙部１２０ａの厚み方向に係り合うこととなり、開閉表紙部１２０ａがロックされて容易には開かない状態となる。
【００３７】
なお、この実施形態において、リング綴じ具を２穴式以外のものとしてもよく、その場合、端部に配置されるリングに対してのみ係止舌片が係り合うように適宜構成するなど、種々変更が可能である。
【００３８】
（第３実施形態）
図８〜図１２に示す第３実施形態は、本発明の第２の基本構成に係るものである。具体的にこのファイル２００は、第１実施形態と同様に、ファイル本体２２０、チューブ式の綴じ具３、及び背カバー部材２４０を有するものであるので、同一の部位には第１実施形態のものと同一又は対応する符号を付して説明する。なお、背カバー部材２４０は、高さ方向中央部に、前方及び両側方へ開口する取手２４１を形成している以外の点については、第１実施形態の背カバー部材４と略同様のものであり、チューブ式綴じ具３は第１実施形態のものと同等品であるので、これ以上の説明は省略する。
【００３９】
ファイル本体２２０は、図８、図９及び図１０に示すように、第１実施形態のファイル本体２と同様に一対のファイル本体要素２２０ｘを組み合わせることにより開閉表紙部２２０ａ、２２０ｂ及び背部２２０ｃを形成したものであり、この背部２２０ｃに背カバー部材２４０を取り付けることで背表紙部Ｂ２００を構成している。また、開閉表紙部２２０ａ、２２０ｂの内面における基端部側にはそれぞれ突条２２１を形成している。そして、そぞれの開閉表紙部２２０ａ、２２０ｂに対をなして形成された突条２２１間の中間部における反綴側に、背表紙部Ｂ２００の長手方向に沿って延びるヒンジ部２２３を形成するとともに、このヒンジ部２２３から開閉表紙部２２０ａ、２２０ｂの基端側に連続して外面視矩形状をなす係止部たる係止片２２２を形成している。さらにこの係止片２２２のヒンジ部２２３を除く周囲には、開閉表紙部２２０ａ、２２０ｂの肉厚を貫通させた外面視コ字形をなすスリット２２４を形成している。そして、このような構成によって、開閉表紙部２２０ａ、２２０ｂを綴板３２と係合させる係合手段Ｌ２００を構成している。
【００４０】
ヒンジ部２２３は、係止片２２２を動作させる機能を有するものであり、その肉厚を開閉表紙部２２０ａ、２２０ｂの他の部位よりも薄肉として、内面側にＶ字形をなすように形成している。すなわち、このヒンジ部２２３は、開閉表紙部２２０ａ、２２０ｂの面方向に伸縮可能、且つ厚み方向に回動可能に構成したものである。
【００４１】
係止片２２２は、基端部をヒンジ部２２３に連続させ、先端部を前記スリット２２４により開放したものであり、その先端部を開閉表紙部２２０ａ、２２０ｂの閉止位置において綴板３２の開放端側と重合する位置に位置付けている。そして、この係止片２２２全体の形状を、開閉表紙部２２０ａ、２２０ｂの内面側に緩やかに湾曲して突出するものとしており、その形状に沿って外面側から内面側に窪ませた操作用の凹部２２５を形成している。さらに、係止片２２２の先端部を挟む両側部には起立壁２２６を形成しており、スリット２２４内にこの起立壁２２６と開閉表紙部２２０ａ、２２０ｂとを連結する薄肉の補助連結片２２７を複数設けることによって、係止片２２２の安定性を確保している。また、係止片２２２の先端部には、外面側が扁平な係止爪２２２ａを形成している。
【００４２】
このような構成のファイル２００において、図１２（ａ）に示すように、一方又は両方の開閉表紙部２２０ａ、２２０ｂを背表紙部Ｂ２００に対して閉じた閉止位置では、係止片２２２の先端部における係止爪２２２ａが綴板３２の外面側に当接して、係止爪２２２ａが綴板３２と係合し得ない非係合位置Ｐにある。この非係合位置Ｐから、凹部２２５内に指Ｆを挿入し、補助連結片２２７を撓ませながら同図に矢印で示すように係止片２２２をヒンジ部２２３へ押すと、ヒンジ部２２３が縮退することによって係止片２２２が反綴じ側の退避位置Ｑまでスライド移動する。さらに、同図（ｂ）に示すように、補助連結片２２７の係止片２２２に対する保持力に逆らって係止片２２２を開閉表紙部２２０ａ、２２０ｂの厚み方向へ押圧すると、ヒンジ部２２３が同図に矢印で示すように内面側へ回動するのに伴って、係止片２２２が退避位置Ｑから綴板３２の内面側へ潜り込んだ没入位置Ｒまで回動する。なお、係止片２２２の押圧によって開閉表紙部２２０ａ、２２０ｂ全体も綴板３２側へ押圧されるので、綴板３２は突条２２１内に収容されることになる。そして、同図（ｃ）及び図１１に拡大して示すように、係止片２２２に指Ｆを添えておくと、ヒンジ部２２３が弾性復帰力により伸長する結果、係止爪２２２ａが綴板３２の内面と係り合う係合位置Ｒまで移動し、開閉表紙部２２０ａ、２２０ｂが綴板３２にロックされた状態となる。なお、以上と逆の手順で操作することにより、係止爪２２２ａと綴板３２とのロック状態を解除することができる。
【００４３】
したがって、このような構成のファイル２００であれば、係止片２２２のみに対する意図的な操作力を加えることによって初めて開閉表紙部２２０ａ、２２０ｂを綴板３２にロックすることができるため、上記第１実施形態等と同様に、従来にない使い勝手の優れたものとすることができる。
【００４４】
なお、本発明の第２の基本構成に係るファイルは、この第３実施形態に限られるものではない。例えば綴じ具として同様のチューブ式綴じ具を採用している場合には、ヒンジ部を綴じ側にも受ける一方、係止爪を開閉表紙部の開放端側に向けて設けることができる。また、綴じ具としてリング綴じ具を採用する場合には、ヒンジ部と係止爪とを背表紙部の長手方向に対向させるように形成するとよい。さらに、ヒンジ部や係止片の形状や構成も、第３実施形態のものと同等以上の機能を有するものであれば適宜変更することができる。
【００４５】
（第４実施形態）
図１３〜図１７に示す第４実施形態は、本発明の第３の基本構成に係るものである。具体的にこのファイル３００は、第１又は第３実施形態とほぼ同様の構成のファイル本体３２０、チューブ式の綴じ具３、及び背カバー部材２４０を有するものであるので、同一の部位には第１又は第３実施形態のものと同一又は対応する符号を付して説明を省略する。
【００４６】
ファイル本体３２０は、図１３、図１４及び図１５に示すように、第１及び第３実施形態のファイル本体２、２２０と同様に一対のファイル本体要素３２０ｘを組み合わせることにより開閉表紙部３２０ａ、３２０ｂ及び背部３２０ｃを形成したものであり、この背部３２０ｃに背カバー部材２４０を取り付けることで背表紙部Ｂ３００を構成している。また、開閉表紙部３２０ａ、３２０ｂの内面における基端部側にはそれぞれ突条３２１を形成している。そして、そぞれの開閉表紙部２２０ａ、２２０ｂに対をなして形成された突条２２１に包囲された開閉表紙部３２０ａ、３２０ｂの基端側の領域内に、背表紙部Ｂ３００の長手方向に沿って延びるヒンジ部３２３を形成するとともに、このヒンジ部３２３から開閉表紙部３２０ａ、３２０ｂの基端側と反対側となる開放端側に連続して外面視矩形状をなす係止部たる係止片３２２を形成している。さらにこの係止片３２２のヒンジ部３２３を除く周囲には、開閉表紙部３２０ａ、３２０ｂの肉厚を貫通させた外面視コ字形をなす切り込み３２４を形成している。そして、このような構成によって、開閉表紙部３２０ａ、３２０ｂを綴板３２と係合させる係合手段Ｌ３００を構成している。
【００４７】
ヒンジ部３２３は、開閉表紙部３２０ａ、３２０ｂの肉厚を部分的に溝状に薄肉として、係止片３２２を回動可能とするものである。図示例では開閉表紙部３２０ａ、３２０ｂの外面側を溝状に形成してヒンジ部３２３を形成しているが、内面側を溝状にしても構わない。また、ヒンジ部３２３の肉厚は、繰り返しての回動動作により、劣化、断裂等を生じない程度の適宜の厚さとして、このヒンジ部３２３における弾性力は、係止片３２２に触れることなく開閉表紙部３２０ａ、３２０ｂを綴じた際に綴板３２に当接した係止片３２２が当該綴板３２から受ける力よりも小さくなるようにしている。
【００４８】
一方、係止片３２２は、切り込み３２４及びヒンジ部３２３に包囲され、基端部をヒンジ部３２３に連続させた外面視矩形状をなすものであり、その先端部を開閉表紙部３２０ａ、３２０ｂの閉止位置において綴板３２の開放端側と重合する位置に設定している。そして、係止片３２２の先端には、内面側へ突出する突起３２５をヒンジ部３２３と略平行に形成しており、この突起３２５の長手方向中央部に、開閉表紙部３２０ａ、３２０ｂの基端側へ向けて突出する係止爪３２６を形成している。
【００４９】
このような構成のファイル３００において、係止片３２２には触れずに開閉表紙部３２０ａ、３２０ｂを綴じて閉止位置に位置付けると、図１６（ａ）に示すように、係止片３２２の先端部に形成した突起３２５が綴板３２の外面側に当接する。その際、ヒンジ部３２３には、突起３２５が綴板３２から受ける力よりも小さい弾性力しか有していないので、ヒンジ部３２３を中心にして係止片３２２全体が上方へ回動する。換言すると、突起３２５の綴板３２との衝突により、係止片３２２は開閉表紙部３２０ａ、３２０ｂの外面側へ逃げることになる。従って、急激な操作により開閉表紙部３２０ａ、３２０ｂを閉じた場合でも、係止片３２２が綴板３２と係り合ってロックしてしまうことがない。この状態から、同図に示すように指Ｆで係止片３２２の先端部を外面側から押圧すると、突起３２５が綴板３２の外面に押し当てられることによって係止片３２２が外方へ反るように弾性変形する結果、その弾性復帰力により、同図（ｂ）に示すように、係止爪３２６が綴板３２の内面側へ回り込んで綴板３２と係合する。このように、本実施形態においても、係止片３２２に対する意図的な操作力を加えて初めて開閉表紙部３２０ａ、３２０ｂを綴じ具３に係り合わせてロックできるようになるため、上述した各実施形態と同様に、不意に開閉表紙部３２０ａ、３２０ｂが綴じ具３にロックされてしまうことのない使い勝手に優れたファイル３００とすることができる。
【００５０】
なお、本実施形態においても、例えば開閉表紙部においてヒンジ部よりも係止片を背部寄りの基端側に設けたり、係止片の形状を変更するなど、本発明の第３の基本構成の趣旨を逸脱しない範囲での各種変更が可能である。また、弾性力の弱いヒンジ部による係止片の安定性を向上すべく、第３実施形態と同様に、スリット内に係止片と開閉表紙部とを連結する補助連結片を形成すると、上述した作用効果を好適に奏するとともに係止片をぐらつかず安定したものとすることができるようになる。
【００５１】
（第５実施形態）
図１７に示すこの実施形態は、本発明の第４の基本構成に係るものであり、前記第１実施形態のものとほぼ同様の構成を有するファイル４００である。第１実施形態のファイル１と異なる点は、係合手段Ｌ４００にある。すなわち、この係合手段Ｌ４００では、綴じ具４３０において、綴板４３２の側端部における長手方向中央部に、舌片状をなす突起部４３２ａを形成している一方、開閉表紙部４２０ａ、４２０ｂの基端部にこの突起部４３２と係り合う係止部となるスリット４２２を形成している。したがって、このような構成によれば、スリット４２２の近傍、具体的にはスリット４２２の前方位置を開閉表紙部４００ａ、４００ｂの厚み方向へ押圧すれば、スリット４２２に突起部４３２を挿入させてそれらを係り合わせ、ロック状態とすることができる。なお、この実施形態においても、綴板に形成する突起部や開閉表紙部に形成するスリットの形状や大きさなどは適宜変更することが可能である。
【００５２】
（第６実施形態）
図１８に部分的な断面図で示すこの実施形態は、本発明の第５の基本構成に係るものであり、第１実施形態のファイル１と略同様の開閉表紙部５２０ａ、背表紙部５００Ｂ、及びベース５３１及び綴板５３２を備えた綴じ具５３０等の各部を有するものである。この実施形態における係合手段Ｌ５００は、開閉表紙部５２０ａの基端部において背表紙部Ｂ５００側に向けて長手方向を有するように矩形状に切り欠いたスリット５２１と、このスリット５２１に案内されて開閉表紙部５２０ａの基端から先端方向又はその逆方向へ（図中矢印方向へ）スライド移動するスライダ５２２と、このスライダ５２２を背表紙部５００Ｂ側へ移動させた際にスライダ５２２の一部と係り合う前記綴板５３２とから構成される。スライダ５２２は、この実施形態において係止部を構成するものであり、断面コ字形をなす樹脂製部材である。そして、スライダ５２２を開閉表紙部５２０ａの先端側から押圧し、そのコ字形の開口内に綴板５３２を挿入させることによって開閉表紙部５２０ａをロック状態とする。このロック状態を解除する場合には、スライダ５２２を上記とは逆方向へ押圧すればよい。なおこの場合も、スライダの具体的な形状等は適宜変更することができる。また、例えばスライダ５２２をロック可能な位置に移動させた場合に、その位置でスライダ５２２と開閉表紙部５２０ａとを凹凸係合するような構成にしておくと、ロック状態をより確実に維持することができる。
【００５３】
本発明は上記各実施形態に限られるものではない。例えば、本発明の第６の基本構成に係るファイルとして、開閉表紙部を背表紙部に対してスライド移動可能に構成し、その開閉表紙部を背表紙部側に移動させたときに綴じ具と係り合わせるような係合手段、すなわち開閉表紙部全体を係止部としたような構成を採用することも可能である。また、何れか複数の基本構成を同時に有するファイルを構成したり、あるいは何れの形態のファイルにおいても綴じ具として上述したもの以外のものを採用するなど、種々の態様を適用することができ、各部の具体的構成についても本発明を逸脱しない範囲で種々変形が可能である。
【００５４】
【発明の効果】
以上に詳述したように、本発明に係る綴じ具を備えたファイルは、開閉表紙部を閉じた閉止位置において、意図的な操作力を加えない状態では開閉表紙部に形成した係止部が綴じ具と自動的には係り合わない構成を有している。
【００５５】
したがって、このような構成においては、係止部のみ、或いは係止部ないしその近傍のみにファイルを閉じた状態に維持するための人為的な操作力を加えてはじめて開閉表紙部がロックされた状態となるため、ファイルが不意に閉じてロックされてしまい開きにくくなったり、或いは逆にファイルが不意に開いてしまうというような不具合を有効に解消して、極めて使い勝手のよいものとすることが可能である。
【図面の簡単な説明】
【図１】本発明の第１実施形態において係合手段のロックが解除された状態を示す斜視図。
【図２】同実施形態において係合手段のロックがなされた状態を示す斜視図。
【図３】同実施形態におけるファイル本体及び綴じ具を開いた状態を示す斜視図。
【図４】同実施形態の各部を分解して示す斜視図。
【図５】同実施形態の要部を示す部分断面図。
【図６】同実施形態の使用例を示す斜視図。
【図７】本発明の第２実施形態を示す斜視図。
【図８】本発明の第３実施形態の両開閉表紙部の閉止状態を示す斜視図。
【図９】同一方の開閉表紙部の閉止状態を示す斜視図。
【図１０】同実施形態に係るファイル本体の内面側を示す平面図。
【図１１】同実施形態の要部拡大斜視図。
【図１２】同実施形態の操作手順を断面図で示す説明図。
【図１３】本発明の第４実施形態の両開閉表紙部の閉止状態を示す斜視図。
【図１４】同一方の開閉表紙部の閉止状態を示す斜視図。
【図１５】同実施形態に係るファイル本体の内面側を示す平面図。
【図１６】同実施形態の操作手順を断面図で示す説明図。
【図１７】本発明の第５実施形態を示す斜視図。
【図１８】本発明の第６実施形態の一部を示す部分断面図。
【符号の説明】
１、１００、２００、３００…ファイル
２ａ、２ｂ、１２０ａ、１２０ｂ、２２０ａ、２２０ｂ、３２０ａ、３２０ｂ、４２０ａ、４２０ｂ、５２０ａ…開閉表紙部
３、１３０、２３０、３３０、４３０、５３０…綴じ具
６、２６１…取手
２２、１２２…係止部（係止舌片）
２３、１２３…当接領域
２４、１２４…切り込み
３２、５３２…綴板
１３１…リング
２２２、３２２…係止部（係止片）
２２２ａ、３２６…係止爪
３２５…突起
２２３、３２３…ヒンジ部
４２２…係止部（スリット）
５２２…係止部（スライダ）
Ｂ、Ｂ１００、Ｂ２００、Ｂ３００、Ｂ５００…背表紙部
Ｌ、Ｌ１００、Ｌ２００、Ｌ３００、Ｌ４００、Ｌ５００…係合手段
【図１】
0004201538.tif 000002
【図２】
0004201538.tif 000003
【図３】
0004201538.tif 000004
【図４】
0004201538.tif 000005
【図５】
0004201538.tif 000006
【図６】
0004201538.tif 000007
【図７】
0004201538.tif 000008
【図８】
0004201538.tif 000009
【図９】
0004201538.tif 000010
【図１０】
0004201538.tif 000011
【図１１】
0004201538.tif 000012
【図１２】
0004201538.tif 000013
【図１３】
0004201538.tif 000014
【図１４】
0004201538.tif 000015
【図１５】
0004201538.tif 000016
【図１６】
0004201538.tif 000017
【図１７】
0004201538.tif 000018
【図１８】
0004201538.tif 000019